【手続補正書】
【提出日】平成25年3月7日(2013.3.7)
【手続補正１】
【補正対象書類名】明細書
【補正対象項目名】００９４
【補正方法】変更
【補正の内容】
【００９４】
本発明の好ましい実施形態のいくつかを以上で記述し具体的に例証してきたが、本発明がこのような実施形態に限定されることは意図されていない。さらに、本発明の構造および機能の詳細と共に、本発明の数多くの特徴および利点が以上の記述の中で説明されたにせよ、開示は一例にすぎず、添付クレームを表現している用語が有する広い一般的意味が指示する最大の限度まで、本発明の原理の範囲内で、特に形状、サイズおよび配置に関して、詳細な変更を加えてもよいということも理解すべきである。
次に、本発明の好ましい態様を示す。
１．  薄いガラスシートおよびアイオノマー中間層シートを含むガラスラミネートにおいて、前記薄いガラスシートが１．５ｍｍ以下の厚みを有するガラスラミネート。
２．  前記アイオノマー中間層シートがアイオノマーを含み、前記アイオノマーが、負荷時間１分、３０℃でＡＳＴＭ  Ｄ５０２６に準じて測定した約２００〜約６００ＭＰａのヤング率を有する、上記１に記載のガラスラミネート。
３．  前記アイオノマー中間層シートが、２〜１０個の炭素原子を有するα−オレフィンの共重合単位と、前駆体酸コポリマーの総重量に基づいて約１８〜約３０重量％の、３〜８個の炭素原子を有するα，β−エチレン性不飽和カルボン酸の共重合単位とを含む前駆体酸コポリマーのイオン中和誘導体であるアイオノマーを含んでおり、前記前駆体酸コポリマー中に存在するα，β−エチレン性不飽和カルボン酸の総含有量の約５％〜約９０％がすでに中和されている、上記１に記載のガラスラミネート。
４．  前記前駆体酸コポリマーが、前記α，β−エチレン性不飽和カルボン酸の共重合単位を約２０〜約２５重量％含み、前記前駆体酸コポリマー中に存在する前記α，β−エチレン性不飽和カルボン酸の前記総含有量の約１０％〜約６０％がすでに中和されている、上記３に記載のガラスラミネート。
５．  前記アイオノマー中間層シートが約１〜約１２０ミル（約０．０２５〜約３ｍｍ）の厚みを有する、上記１に記載のガラスラミネート。
６．  前記アイオノマー中間層シートが約５〜約４５ミル（約０．１２７〜約１．１４ｍｍ）の厚みを有する、上記５に記載のガラスラミネート。
７．  前記薄いガラスシートが約０．１〜約０．８ｍｍの厚みを有する、上記１に記載のガラスラミネート。
８．  前記アイオノマー中間層シートが第１の側面と第２の側面を有し、前記第１の側面が前記薄いガラスシートに対し直接結合されている、上記１に記載のガラスラミネート。
９．  さらにフィルムまたは剛性シートを含み、前記フィルムまたは前記剛性シートがアイオノマー中間層シートの前記第２の側面にラミネートされている、上記８に記載のガラスラミネート。
１０．  前記フィルムが、ポリエステル類、ポリカーボネート類、ポリオレフィン類、ノルボルネンポリマー、ポリスチレン類、スチレン−アクリレートコポリマー、アクリロニトリル−スチレンコポリマー、ポリスルホン類、ポリアミド類、ポリウレタン類、アクリルポリマー、セルロースアセテート類、セロファン類、ビニルクロリドポリマー、フルオロポリマーおよびこれらのポリマー材の２つ以上の組合せからなる群から選択されたポリマー材料を含むか、あるいは前記剛性シートが、ガラス、金属、セラミックからなる群から選択された材料を含むか、またはポリカーボネート類、アクリル樹脂類、ポリアクリレート類、環式ポリオレフィン類、メタロセン−触媒ポリスチレン類、ＡＳＴＭ  Ｄ−６３８にしたがって判定された約６９０ＭＰａ以上の引張り係数を有する別の一材料、およびこれらの材料の２つ以上の組合せからなる群から選択されたポリマー材料を含む、上記９に記載のガラスラミネート。
１１．  前記剛性シートが第２のガラスシートであり、前記第２のガラスシートが約２ｍｍ以上の厚みを有する、上記１０に記載のガラスラミネート。
１２．  前記剛性シートが第２のガラスシートであり、前記第２のガラスシートが約１．５ｍｍ以下の厚みを有する、上記１０に記載のガラスラミネート。
１３．  ４つの周縁部および少なくとも１つの取付け用装置をさらに含み、前記少なくとも１つの取付け用装置が、アイオノマー中間層シートに結合された第１の部分とガラスラミネートの周縁部から外向きに突出した第２の部分を有する、上記１に記載のガラスラミネート。
１４．  前記少なくとも１つの取付け用装置は、それが突出している前記周縁部の一部分全体にわたるカバーを形成する第３の部分をさらに含んでいる、上記１３に記載のガラスラミネート。
１５．  前記少なくとも１つの取付け用装置の前記第２の部分が少なくとも１つの固着用手段を含む、上記１３に記載のガラスラミネート。
１６．  ２つの取付け用装置を含み、前記取付け用装置が前記ガラスラミネートの相対する周縁部上に位置づけされている、上記１３に記載のガラスラミネート。
１７．  ４つの取付け用装置を含み、前記取付け用装置のうちの２つが前記ガラスラミネートの一つの縁部上に位置づけされ、前記取付け用装置のうちの２つが前記ガラスラミネートの前記相対する周縁部上に位置づけされる、上記１３に記載のガラスラミネート。
１８．  ４つの取付け用装置を含み、前記取付け用装置の各々が前記ガラスラミネートの異なる周縁部上に位置づけされている、上記１３に記載のガラスラミネート。
１９．  前記少なくとも１つの取付け用装置が金属またはプラスチックで作製されている、上記１３に記載のガラスラミネート。
２０．  前記少なくとも１つの取付け用装置が、鋼、アルミニウム、チタン、真鍮、鉛、クロム、銅およびそれらの合金からなる群から選択された金属を含む、上記１９に記載のガラスラミネート。
２１．  ｎ層のフィルム、剛性シートまたはそれらの組合せおよびｎ−１層のポリマー中間層シートを含むガラスラミネートにおいて、（ｉ）ｎが２〜１０の整数であり；（ｉｉ）前記ｎ層のフィルム、剛性シートまたはそれらの組合せの各隣接対の間の空間を前記ポリマー中間層シートの１枚が占めており；（ｉｉｉ）前記ｎ層のフィルム、剛性シートまたはそれらの組合せの１つ以上が、約１．５ｍｍ以下の厚みを有する薄いガラスシートを含み；かつ（ｉｖ）前記ｎ−１層のポリマー中間層シートの１つ以上がアイオノマーを含む、ガラスラミネート。
２２．  前記ｎ層が薄いガラスシートのｎ層であり、前記ｎ−１層がアイオノマー中間層シートであり、前記ｎ層の薄いガラスシートの各々が独立して１．５ｍｍ未満の厚みを有し、前記薄いガラスシートの各隣接対の間の空間を前記アイオノマー中間層シートの１つが占めている、上記２１に記載のガラスラミネート。
【手続補正２】
【補正対象書類名】特許請求の範囲
【補正対象項目名】全文
【補正方法】変更
【補正の内容】
【特許請求の範囲】
【請求項１】
薄いガラスシートおよびアイオノマー中間層シートを含むガラスラミネートにおいて、前記薄いガラスシートが１．５ｍｍ以下の厚みを有し；前記アイオノマー中間層シートがアイオノマーを含み、前記アイオノマーが、２〜１０個の炭素原子を有するα−オレフィンの共重合単位と、前駆体酸コポリマーの総重量に基づいて約２０〜約２５重量％の、３〜８個の炭素原子を有するα，β−エチレン性不飽和カルボン酸の共重合単位とを含む前駆体酸コポリマーのイオン中和誘導体であり；
さらに前記アイオノマー中間層シートがアイオノマーを含み、前記アイオノマーが、負荷時間１分、３０℃でＡＳＴＭ  Ｄ５０２６に準じて測定した約２００〜約６００ＭＰａのヤング率を有するガラスラミネート。